(57)【要約】【課題】フォトブックを作成するのに適した撮影画像のカウント機能を提供する。【解決手段】撮影カウントが開始されると、第１の撮像装置の通信処理部５００は、第２の撮像装置の通信処理部５０００と通信し、第２の撮像装置で撮影した画像を入手し、第１の撮像装置の画像分類判別部１０１は、第１の撮像装置と第２の撮像装置で撮影した画像を分類分けする。次に、第１の撮像装置で、分類分けした画像の中で、同一人物や同じ建物を、似た画角や背景で撮影した画像を１枚として分類毎にカウントする。そして、分類毎にカウントした合算結果を、第１の撮像装置の表示部４００に表示するとともに、第２の撮像装置の通信処理部５０００と通信を行うことで、第２の撮像装置の表示部４０００に表示する。【選択図】図１
2014138322.tif 000002
【特許請求の範囲】
【請求項１】
撮像手段で撮影された画像を分類分けする分類判別手段と、
前記分類判別手段で分類分けされた分類毎に、前記撮像手段で撮影された画像の枚数をカウントするカウント手段と、
前記撮像手段で撮影された画像間で一定の条件を満たす場合、前記カウント手段によるカウント数を変更する、又は前記カウント手段によるカウントを制限する制御手段とを備えたことを特徴とする画像管理装置。
【請求項２】
該画像管理装置は、通信機能を有する撮像装置に含まれており、
該撮像装置の撮像手段で撮影された画像と、通信機能により入手した他の撮像装置の撮像手段で撮影された画像とを対象に、前記分類判別手段による分類分け、前記カウント手段によるカウント、及び前記制御手段によるカウント数の変更又はカウントの制限を行うことを特徴とする請求項１に記載の画像管理装置。
【請求項３】
前記制御手段は、前記撮像手段で撮影された複数の画像が一定の条件で似ていると判断される場合、前記カウント手段によるカウント数を変更する、又は前記カウント手段によるカウントを制限することを特徴とする請求項１又は２に記載の画像管理装置。
【請求項４】
前記制御手段は、前記撮像手段で撮影された複数の画像が連写撮影によるものである場合、前記カウント手段によるカウント数を変更する、又は前記カウント手段によるカウントを制限することを特徴とする請求項１又は２に記載の画像管理装置。
【請求項５】
前記制御手段は、前記撮像手段で撮影された複数の画像がオートブラケット撮影によるものである場合、前記カウント手段によるカウント数を変更する、又は前記カウント手段によるカウントを制限することを特徴とする請求項１又は２に記載の画像管理装置。
【請求項６】
前記制御手段により変更された又はカウントが制限された結果のカウント数を表示手段に表示する表示制御手段を備えることを特徴とする請求項１乃至５のいずれか１項に記載の画像管理装置。
【請求項７】
前記制御手段により変更された又はカウントが制限された結果のカウント数を該撮像装置の表示手段に表示するとともに、通信機能により前記他の撮像装置の表示手段にも表示する表示制御手段を備えることを特徴とする請求項２に記載の画像管理装置。
【請求項８】
前記表示制御手段は、前記制御手段により変更された又はカウントが制限された結果のカウント数に加えて、画像も表示することを特徴とする請求項６又は７に記載の画像管理装置。
【請求項９】
前記表示制御手段は、前記分類判別手段で分類分けされた分類毎の推奨撮影枚数を表示することを特徴とする請求項６乃至８のいずれか１項に記載の画像管理装置。
【請求項１０】
撮影テーマが設定可能であり、撮影テーマ毎に分類毎の推奨撮影枚数が設定されることを特徴とする請求項９に記載の画像管理装置。
【請求項１１】
前記表示制御手段は、前記制御手段により変更された又はカウントが制限された結果のカウント数を表示するときに、カウント数が所定の条件より少ない分類を、該分類の画像を得るのに適した設定となっている撮像装置の表示手段に強調して表示することを特徴とする請求項７に記載の画像管理装置。
【請求項１２】
前記撮像手段で撮影された画像に、予め登録された人物の顔（以下、登録顔と称する）が含まれているか否かを検出する検出手段を備え、
前記分類判別手段は、前記撮像手段で撮影された画像に登録顔が含まれている場合、その登録顔のサイズが所定の大きさ以上であるか否かに応じて分類分けすることを特徴とする請求項１乃至１１のいずれか１項に記載の画像管理装置。
【請求項１３】
前記撮像手段で撮影された画像に登録顔が含まれている場合に、その登録顔の数に応じて前記所定の大きさを変更する変更手段を備えたことを特徴とする請求項１２に記載の画像管理装置。
【請求項１４】
前記撮像手段で撮影された画像に登録顔が含まれている場合に、その登録顔の位置に応じて前記所定の大きさを変更する変更手段を備えたことを特徴とする請求項１２に記載の画像管理装置。
【請求項１５】
撮像手段で撮影された画像を分類分けするステップと、
前記分類分けされた分類毎に、前記撮像手段で撮影された画像の枚数をカウントするステップと、
前記撮像手段で撮影された画像間で一定の条件を満たす場合、前記カウントしたカウント数を変更する、又は前記カウントを制限するステップとを有することを特徴とする画像管理装置の制御方法。
【請求項１６】
撮像手段で撮影された画像を分類分けする分類判別手段と、
前記分類判別手段で分類分けされた分類毎に、前記撮像手段で撮影された画像の枚数をカウントするカウント手段と、
前記撮像手段で撮影された画像間で一定の条件を満たす場合、前記カウント手段によるカウント数を変更する、又は前記カウント手段によるカウントを制限する制御手段としてコンピュータを機能させるためのプログラム。
【発明の詳細な説明】
【技術分野】
【０００１】
本発明は、撮影画像を分類分けし、分類毎に画像の枚数をカウントする画像管理装置、その制御方法及びプログラムに関する。
【背景技術】
【０００２】
近年、デジタルカメラやカメラ機能付き携帯電話、スマートフォン等の普及に伴い、フィルム代、現像代を気にせず気軽にたくさんの写真を撮影できるようになった。また、パーソナルコンピュータのハードディスクドライブ（ＨＤＤ）やＳＤカードをはじめとした記録媒体の高容量化により、これら写真データは記録媒体の残容量をほとんど気にすることなく保存することが可能である。
その一方で、記録媒体の容量が多いが故に、これら大量に撮影された写真データは、整理されないまま保存されていることが多い。
【０００３】
これらの写真を活用するため、気に入ったショットを選び、従来のアルバムのようにレイアウトして印刷する、いわゆるフォトブックと呼ばれるものを作成するサービスが増えてきた。
通常、フォトブックはベストショットを選んで載せるため、似た構図の写真を複数枚載せることはなく、たくさんの写真の中からベストショットを選択する必要がある。この場合に、旅行や運動会といったイベントの場合は後からの撮り直しが効かないため、撮影時にフォトブック化することを意識し、撮り残しが無いよう多めに写真を撮影しておく必要がある。
例えば旅行をテーマにフォトブックを作成しようとしたとき、人物の写真だけで構成すると、どこに旅行に行ったときの写真なのかがわかりづらくなる。見易いフォトブックにするためには、フォトブックのテーマに沿って人物写真や風景写真をバランスよく配置することが望ましい。
このようにフォトブックを作成することを念頭に入れる場合、撮影時に気をつけなければならないのは写真の枚数だけではなく、人物写真や風景写真等、被写体ごとの撮影枚数のバランスが重要である。
【０００４】
そこで、このようなフォトブックを作成することを目的として撮影する場合のアシストを行う方法として、例えば顔認識技術を用いて被写体ごとの撮影枚数の偏りを防ぐための提案がある（特許文献１を参照）。
また、被写体認識技術を用いて人物や風景、動物等の撮影枚数の偏りを防ぐための提案がある（特許文献２を参照）。
いずれの提案も、被写体ごとの撮影枚数をカウントし、その結果を表示装置に表示することで撮影すべき被写体を撮影者にアシストするものである。
【先行技術文献】
【特許文献】
【０００５】
【特許文献１】特開２００７−２０１０４号公報
【特許文献２】特開２０１１−２１１６９５号公報
【発明の概要】
【発明が解決しようとする課題】
【０００６】
特許文献１、２のように、被写体ごとの撮影枚数をカウントし、その結果を表示装置に表示することで、撮影したい人物の写真がないといったことを防ぐことは可能である。
しかしながら、例えばカウント表示では２枚とカウントされていたにも関わらず、実際は同じ様な写真であるがために、１枚しかフォトブックやアルバムに使用することができず、偏りがでてしまうということが起こる。
【０００７】
本発明は上記のような点に鑑みてなされたものであり、フォトブックを作成するのに適した撮影画像のカウント機能を提供することを目的とする。
【課題を解決するための手段】
【０００８】
本発明の画像管理装置は、撮像手段で撮影された画像を分類分けする分類判別手段と、前記分類判別手段で分類分けされた分類毎に、前記撮像手段で撮影された画像の枚数をカウントするカウント手段と、前記撮像手段で撮影された画像間で一定の条件を満たす場合、前記カウント手段によるカウント数を変更する、又は前記カウント手段によるカウントを制限する制御手段とを備えたことを特徴とする。
【発明の効果】
【０００９】
本発明によれば、撮像手段で撮影された画像間で一定の条件を満たす場合、カウント数を変更する、又はカウントを制限するようにしたので、例えば同じ様な撮影画像をカウントするのを避けて、フォトブックを作成するのに適した撮影画像のカウント機能を提供することができる。
【図面の簡単な説明】
【００１０】
【図１】第１の実施形態に係る撮像装置の構成を示すブロック図である。
【図２】第１の実施形態に係る撮像装置の処理を示すフローチャートである。
【図３】第１の実施形態における分類分け及びカウントの結果を示す図である。
【図４】第２の実施形態に係る撮像装置の構成を示すブロック図である。
【図５】第２の実施形態に係る撮像装置の処理を示すフローチャートである。
【図６】連写撮影したときの画像例を示す図である。
【図７】第３の実施形態に係る撮像装置の構成を示すブロック図である。
【図８】第３の実施形態に係る撮像装置の処理を示すフローチャートである。
【図９】撮影画像中に検出された登録顔数と顔枠の大きさを説明するための画像例を示す図である。
【図１０】第４の実施形態に係る撮像装置の構成を示すブロック図である。
【図１１】第４の実施形態に係る撮像装置の処理を示すフローチャートである。
【図１２】撮影画像中で検出された登録顔の位置と顔枠の大きさを説明するための画像例である。
【発明を実施するための形態】
【００１１】
以下、添付図面を参照して、本発明の好適な実施形態について説明する。
（第１の実施形態）
図１は、第１の実施形態に係る撮像装置の構成を示すブロック図である。本実施形態では、第１の撮像装置及び第２の撮像装置が通信機能を有し、相互に通信可能となっている。
第１の撮像装置は、ＣＰＵ（中央演算装置）１００、メモリ２００、撮像部３００、表示部４００、通信処理部５００を備える。ＣＰＵ１００は、画像分類判別部１０１を備える。また、メモリ２００は、顔登録部２０１及び画像カウント部２０２を備える。ＣＰＵ１００は、撮像装置の動作を制御する演算処理装置であり、全てのブロックと接続されており各種プログラムを制御する。
【００１２】
第２撮像装置は、ＣＰＵ（中央演算装置）１０００、メモリ２０００、撮像部３０００、表示部４０００、通信処理部５０００を備える。ＣＰＵ１００は、画像分類判別部１００１を備える。また、メモリ２０００は、画像カウント部２００２を備える。ＣＰＵ１０００は、撮像装置の動作を制御する演算処理装置であり、全てのブロックと接続されており各種プログラムを制御する。
【００１３】
図２は、第１の実施形態に係る撮像装置の処理を示すフローチャートである。主に撮影画像の分類分けやカウントを行うマスターの撮像装置を第１の撮像装置とし、マスターの撮像装置に撮影画像を提供するスレーブの撮像装置を第２の撮像装置とする。すなわち、第１の撮像装置が本発明を適用した画像管理装置として機能する。
第１の撮像装置では、撮影カウントが開始されると（ステップＳ１）、通信処理部５００を介して通信が確立されている他の撮像装置の中で、撮影カウントを同時に行う撮像装置があるか否かを判断する（ステップＳ２）。撮影カウントを同時に行う撮像装置は、ユーザにより選択される。
撮影カウントを同時に行う撮像装置があればステップＳ３に進み、なければ本処理を抜ける。ここでは、第２の撮像装置が選択されたものとする。
次に、ステップＳ２において選択された撮像装置も含めて撮影カウントするか否かをユーザに選択させ（ステップＳ３）、選択されれば、複数台の撮像装置（本例の場合第１の撮像装置と第２の撮像装置）での撮影カウントを開始する（ステップＳ４）。
【００１４】
撮影カウントが開始されると、第１の撮像装置の通信処理部５００は、第２の撮像装置の通信処理部５０００と通信し、第２の撮像装置で撮影した画像を入手する（ステップＳ５）。
次に、第１の撮像装置の画像分類判別部１０１は、第１の撮像装置と第２の撮像装置で撮影した画像を分類分けする（ステップＳ６）。例えば図３に示すように、顔登録部２０１に予め登録された顔、建物、風景等に分類分けする。撮影画像の中に、予め顔登録部２０１に登録された長女の顔が所定の大きさ以上で写っていれば、人物３（長女）の画像として分類分けする。また、撮影画像の中に、顔登録部２０１に登録された顔がなく、建物のみである場合は、建物として分類分けする。
【００１５】
次に、第１の撮像装置のＣＰＵ１００の制御下で、分類分けした撮影画像の中で、同一人物や同じ建物を、似た画角や背景で撮影した画像を１枚として分類毎にカウントする（ステップＳ７）。なお、似た画角や背景で撮影した画像というのは、一定の条件で似ていると判断されるものとする。例えば図３に示すように、人物１（父）が写った撮影画像は、第１の撮像装置では０枚、第２の撮像装置では４枚あった。ただし、第２の撮像装置で撮影した４枚の中の２枚は、似た画角や背景で撮影した画像であるので、合算結果は３枚としてカウントする。また、人物３（長女）が写った撮影画像は、第１の撮像装置では８枚、第２の撮像装置では４枚あった。ただし、第１の撮像装置で撮影した８枚の画像の中の２枚と、第２の撮像装置で撮影した４枚の画像の中の１枚が、似た画角や背景で撮影した画像であるので、合算結果は１０枚としてカウントする。
【００１６】
次に、分類毎にカウントした合算結果を、第１の撮像装置の画像カウント部２０２にメモリして、表示部４００に表示する（ステップＳ８）。また、第１の撮像装置の通信処理部５００は、第２の撮像装置の通信処理部５０００と通信し、第２の撮像装置に分類毎にカウントした合算結果を送る。第２の撮像装置では、受け取った合算結果を、画像カウント部２００２にメモリして、表示部４０００に表示する（ステップＳ８）。
そして、ユーザによる撮影カウント終了の指示があれば（ステップＳ９）、撮影カウントを終了する（ステップＳ１０）。一方、撮影カウント終了の指示がなければ（ステップＳ９）、ステップＳ５に戻る。
【００１７】
例えば家族内で複数台の撮像装置を所有し、家族旅行等に出かけた場合、それぞれの撮像装置で撮影した画像を共有し、画像をカウントするときに、予め登録された顔に応じてカウント表示するだけだと、複数台の撮像装置で同じ人物を似た画角や背景で撮影した画像をそのまま２枚とカウントしてしまう。
その結果、帰宅後、フォトブックやアルバムを作成しようと試みた際に、例えばカウント表示では２枚とカウントされていたにも関わらず、実際は同じ様な写真であるがために、１枚しかフォトブックやアルバムに使用することができず、家族の中で偏りがでてしまうということが起こる。
さらには、人物の画像は揃っているが、建物、風景の画像が少ないために、どこで撮影した画像なのかが分からないフォトブックやアルバムになってしまう。
そこで、上述したように、各分類において似た画角や背景で撮影した画像を１枚とカウントする。これにより、複数台の撮像装置で撮影した画像を単純に足し合わせた枚数よりも、フォトブックやアルバムを作成する際に使用できる撮影画像が何枚であるかを正確に把握することができるという効果がある。
【００１８】
なお、似た画角や背景で撮影した画像を１枚とカウントするに際して、いったんカウントし、その後カウント数を変更する方式でもよい。また、似た画角や背景で後から撮影した画像はカウントしないようにする（カウントを制限する）方式でもよい。
また、ステップＳ４において、第１の撮像装置が、通信処理部５００を介して第２の撮像装置で撮影した画像を入手するタイミングは限定されるものではない。例えば第１の撮像装置が起動されたタイミングや、所定時間が経過したタイミングで、第２の撮像装置で新たに撮影した画像の有無を確認する等すればよい。
また、第１の撮像装置の表示部４００や第２の撮像装置の表示部４０００に分類毎のカウント結果を表示する際に、カウント結果だけではなく、他方の撮像装置で撮影した画像自体を表示するようにしてもよい。その結果、より不足している撮影画像のイメージを描きやすいという効果がある。
また、第１の撮像装置の表示部４００や第２の撮像装置の表示部４０００に分類毎のカウント結果を表示する際に、風景の画像が足りない場合には、第１の撮像装置と第２の撮像装置とを比較して、風景の画像を撮影するのに適している、例えば光学ズームの倍率が高い方に風景の画像が足りないことを強調して表示してもよい。その結果、よりよい風景の画像を撮影するように促すことができるという効果がある。
【００１９】
また、第１の撮像装置と第２の撮像装置とを通信させることで撮影画像のやり取りを行い、第１の撮像装置内で撮影画像の分類分けを行っているが、それに限定されるものではない。例えば第１の撮像装置で撮影した画像と第２の撮像装置で撮影した画像とをネットワーク上にアップロードし、ネットワーク上で、ステップＳ６の撮影画像の分類分け作業を行ってもよい。この場合、撮像装置内に分類分けの判別回路を設ける必要がなくなり、消費電力の削減になるという効果がある。
また、撮影枚数をカウントする機能を、撮像装置に限らず、画像の記録を行う全ての装置に適応することも可能である。
【００２０】
また、似た画角や背景で撮影した画像を１枚とカウントするようにしたが、それに限定されるものではない。例えば似た画角や背景で撮影した画像が１０枚未満であれば１枚とカウントし、１０枚以上あれば２枚とカウントする等のように、似た画角や背景で撮影した画像の枚数に応じてカウントする枚数を変えるようにしてもよい。
【００２１】
（第２の実施形態）
被写体認識として、認識対象の顔の大きさが所定の大きさ以上であったときは人物写真、それ以外のときは風景写真に分類分けすることが考えられる。この場合に、その枚数をカウントすると、例えば連写撮影や、基準値及びその基準値を変えて複数のカットを撮影するオートブラケット（ＡＥＢ：Auto Exposure Bracketing）撮影で得られる似た構図の写真をも複数枚の写真とカウントしてしまう。
また、風景写真として撮影したつもりでも、被写体に認識対象の顔が入っているときには人物写真とカウントしてしまう場合もあった。
上述のように被写体をカウントした結果が撮影アシストとして液晶モニタ等に表示されると、撮影者はその表示枚数を参考に人物写真、風景写真を所定枚数撮影しようとする。そのため、実際にフォトブックに使用可能な写真が不足してしまうという場合があった。
本実施形態では、このような不具合をなくし、フォトブック用の写真を撮影するに適した被写体のカウント方法で撮影アシストする撮像装置を提供するものである。
【００２２】
図４は、第２の実施形態に係る撮像装置の構成を示すブロック図である。
撮像光学系１は、センサ２上に被写体像を結像する。撮像光学系１は、レンズ駆動回路４によりその一部又は全部を光軸に沿って移動することにより、被写体像の焦点位置やズーム倍率を調節する。
センサ２は、ＣＣＤ（Charge Coupled Device）イメージセンサ又はＣＭＯＳ（Complementary Metal Oxide Semiconductor）イメージセンサを用いて被写体像を光電変換して映像信号とし、これをカメラ信号処理回路３に伝える撮像手段である。
カメラ信号処理回路３は、映像信号を画像処理し、記録再生信号処理回路５及び顔認証部６に画像処理した映像信号を供給する。
記録再生信号処理回路５は、映像信号を記録信号処理し、記録媒体１１に供給する。これと同時に、映像信号は表示装置１０にも供給される。
記録媒体１１は、ＳＤカード等の記録メディアであり、記録信号処理された映像信号を記録する。
表示装置１０は、ＬＣＤ（Liquid Crystal Display）や有機ＥＬ（Electro Luminescence）等で構成され、供給された映像信号を被写体画像に変換して表示する。
【００２３】
顔認証部６は、映像信号から顔情報を抽出し、個人を識別するための特徴データを登録顔情報メモリ９に格納する。さらに、映像信号の中から登録顔情報メモリ９から供給される特徴データと一致する顔を抽出する。抽出した登録顔情報は、顔枠サイズ比較回路７に供給される。
顔枠サイズ比較回路７は、入力された登録顔の大きさを予め設定された所定の大きさと比較し、比較した結果を人物／風景写真カウンタ８に供給する。
人物／風景写真カウンタ８は、顔枠サイズ比較回路７で登録顔の大きさが所定の大きさよりも大きいと判断された場合は人物写真とカウントする。逆に、登録顔の大きさが所定の大きさよりも小さいと判断された場合は風景写真とカウントする。カウント結果は記録再生信号処理回路５に供給され、被写体映像信号に棒グラフ等で重畳し表示装置１０に表示する。
マイコン１２は、本撮像装置全体の動作を統括的に制御する制御部である。
【００２４】
撮影テーマ設定スイッチ１３は、「旅行」、「運動会」等フォトブックにするときのテーマを設定するスイッチであり、設定結果はマイコン１２に供給される。マイコン１２は、設定されたテーマに応じて人物写真、風景写真の推奨撮影枚数を被写体映像信号に棒グラフ等で重畳して表示装置１０に表示させるよう作用する。
例えば、テーマが「旅行」であれば、人物写真を５０枚、風景写真を５０枚を推奨撮影枚数とし、テーマが「運動会」であれば、人物写真を６０枚、風景写真を２０枚を推奨撮影枚数というように、テーマに応じて分類毎の枚数を変更するようにする。
なお、テーマ毎の推奨枚数を決める代わりに、比率を決めるように変更しても良い。また、撮影テーマの選択以外に、例えば、フォトブック等を作る為に最低限必要な画像を事前に設定しておき、上記の比率に応じて撮影枚数を決めるように変更しても良い。
また、上記の人物写真、風景写真の分類以外にも、スポーツやマクロ、夜景、水中等、カメラで設定可能な分類を利用することも可能である。
【００２５】
連写モード設定スイッチ１４は、単写モードで撮影するか、連写モードで撮影するかを選択するためのスイッチであり、選択結果はマイコン１２に供給される。
ＡＥＢモード設定スイッチ１５は、ＡＥＢモードで撮影するか、通常モードで撮影するかを選択するためのスイッチであり、選択結果はマイコン１２に供給される。
顔登録モード設定スイッチ１７は、顔登録モードに設定するか否かを選択するためのスイッチであり、選択結果はマイコン１２に供給される。顔登録モードに選択されたとき、顔認証部６は入力された映像信号から顔情報を抽出し、個人を識別するための特徴データを登録顔情報メモリ９に格納する、という上述した動作を行う。
シャッタボタン１８は、被写体画像を取り込むときに撮影者が操作し、シャッタボタン１８が押されたか否かはマイコン１２で判断する。シャッタボタン１８は半押しと全押しの２段階の状態を有する。半押し状態では、主被写体を判別しオートフォーカス、露出制御等を行う。さらに全押しすると、実際の撮影を行う。連写モード設定スイッチ１４で連写撮影モードに設定された場合、シャッタボタン１８が全押しされている間連続して撮影を行う。ＡＥＢモード設定スイッチ１５でＡＥＢモードに設定された場合、シャッタボタン１８が全押しされている間、露出を変えながら連続して３枚の写真を撮影する。
メモリ１６は、マイコン１２の制御ファームや本撮像装置の各種機能の設定値等を記憶するための記憶装置である。
【００２６】
上記構成において、連写モード設定スイッチ１４で連写撮影モードに設定された場合、マイコン１２は、シャッタボタン１８が全押しされている期間の人物写真、風景写真のカウント結果が最大１になるよう、人物／風景写真カウンタ８を制御する。
また、ＡＥＢモード設定スイッチ１５でＡＥＢモードに設定された場合、マイコン１２は、標準露出画像のみで人物写真、風景写真の判定をし、その結果をカウントするよう人物／風景写真カウンタ８を制御する。
【００２７】
図５は、第２の実施形態に係る撮像装置の処理を示すフローチャートである。
顔登録モード設定スイッチ１７で顔登録モードに設定されると、顔登録を行う（ステップＳ１０１）。次に、撮影テーマ設定スイッチ１３で撮影テーマが設定されると（Ｓ１０２）、マイコン１２は、撮影テーマに適した人物写真、風景写真の撮影枚数目安を表示装置１０に表示させる（ステップＳ１０３）。
【００２８】
次に、マイコン１２は、ＡＥＢモードに設定されているか否かを判断する（ステップＳ１０４）。
ステップＳ１０４においてＡＥＢモードであると判断すると、撮影者のシャッタの半押しにより（ステップＳ２０１）、マイコン１２の制御下で被写体にピントを合わせる。次に、シャッタの全押しにより（ステップＳ２０２）、マイコン１２の制御下で標準露出で撮影する（ステップＳ２０３）。
次に、マイコン１２は、顔認証部６を介して、撮影画像中に人物の顔があるか否かを判断する（ステップＳ２０４）。ステップＳ２０４において人物の顔があると判断した場合、その中に登録顔が含まれているか否かを判断する（ステップＳ２０５）。登録顔が含まれていると判断した場合、顔枠サイズ比較回路７を介して、その登録顔の大きさが所定の大きさ以上であるか否かを判断する（ステップＳ２０６）。所定の大きさ以上であった場合、マイコン１２は人物写真としてカウントする（ステップＳ２０７）。
ステップＳ２０４において人物の顔がないと判断した場合、又は、ステップＳ２０５において登録顔を検出しなかった場合、又は、ステップＳ２０６において登録顔の大きさが所定の大きさよりも小さかった場合、マイコン１２は、風景写真としてカウントする（ステップＳ２０８）。
そして、マイコン１２は、人物写真、風景写真のカウント結果を表示装置１０に表示する（ステップＳ２０９）。
次に、マイコン１２の制御下で、露出をプラスに振った状態で写真を撮影する（ステップＳ２１０）。続けて、露出をマイナス側に振った状態で写真を撮影する（ステップＳ２１1）。ステップＳ２１０、Ｓ２１１では顔検出動作は行わず、よって人物写真、風景写真のカウントアップも行わない。
シャッタ全押しの解除があったら（ステップＳ２１２）、ＡＥＢ撮影動作を終了する。
【００２９】
ステップＳ１０４においてＡＥＢモードでないと判断すると、連写撮影モードに設定されているか否かを判断する（ステップＳ１０５）。
ステップＳ１０５において連写撮影モードであると判断すると、撮影者のシャッタの半押しにより（ステップＳ３０１）、マイコン１２の制御下で被写体にピントを合わせる。次に、シャッタの全押しにより（ステップＳ３０２）、マイコン１２の制御下で１枚撮影する（ステップＳ３０３）。
次に、マイコン１２は、顔認証部６を介して、撮影画像中に人物の顔があるか否かを判断する（ステップＳ３０４）。ステップＳ３０４において人物の顔があると判断した場合、その中に登録顔が含まれているか否かを判断する（ステップＳ３０５）。登録顔が含まれていると判断した場合、顔枠サイズ比較回路７を介して、その登録顔の大きさが所定の大きさ以上であるか否かを判断する（ステップＳ３０６）。所定の大きさ以上であった場合、マイコン１２は人物写真としてカウントする（ステップＳ３０７）。
ステップＳ３０４において人物の顔がないと判断した場合、又は、ステップＳ３０５において登録顔を検出しなかった場合、又は、ステップＳ３０６において登録顔の大きさが所定の大きさよりも小さかった場合、マイコン１２は風景写真としてカウントする（ステップＳ３０８）。
次に、マイコン１２は、シャッタの全押しが解除されたか否か判断し（ステップＳ３０９）、解除されていない場合、ステップＳ３０３に戻り、続けて２枚目の写真撮影を開始する。上述の１枚目の写真と同様、人物写真、風景写真の撮影枚数をカウントするが、一連の連写撮影の中ではステップＳ３０７、Ｓ３０８でのカウント結果の最大値を１とする。
ステップＳ３０９においてシャッタ全押しが解除されたと判断した場合、撮影を終了し、マイコン１２は、人物写真、風景写真のカウント結果を表示装置１０に表示する（ステップＳ３１０）。
【００３０】
ステップＳ１０５において連写撮影モードでないと判断すると、撮影者のシャッタの半押しにより（ステップＳ１０６）、マイコン１２の制御下で被写体にピントを合わせる。
次に、マイコン１２は、顔認証部６を介して、撮影画像中に人物の顔があるか否かを判断する（ステップＳ１０７）。ステップＳ１０７において人物の顔があると判断した場合、その中に登録顔が含まれているか否かを判断する（ステップＳ１０８）。登録顔が含まれていると判断した場合、顔枠サイズ比較回路７を介して、その登録顔の大きさが所定の大きさ以上であるか否かを判断する（ステップＳ１０９）。所定の大きさ以上であった場合、マイコン１２は人物写真としてカウントする（ステップＳ１１０）。
ステップＳ１０７において人物の顔がないと判断した場合、又は、ステップＳ１０８において登録顔を検出しなかった場合、又は、ステップＳ１０９において登録顔の大きさが所定の大きさよりも小さかった場合、マイコン１２は風景写真としてカウントする（ステップＳ１１１）。
そして、マイコン１２は、人物写真、風景写真のカウント結果を表示装置１０に表示する（ステップＳ１１３）。
次に、シャッタの全押しにより（ステップＳ１１３）、マイコン１２の制御下で１枚撮影する（ステップＳ１１４）。
【００３１】
図６は、連写撮影したときの画像例である。
図６（Ａ）は、一連の連写のすべてに登録された人物が入っていた場合を示す。このとき、人物写真は５枚撮影されているが、ステップＳ３０７において連写中のカウントは最大１であるので、人物写真は１枚とカウントする。
図３（Ｂ）は、連写の途中で登録された人物が画角からいなくなった場合である。このとき、人物写真は２枚、風景写真は３枚撮影されているが、ステップＳ３０７、ステップＳ３０８において連写中のカウントは最大１であるので、人物写真、風景写真それぞれ１枚とカウントする。
図３（Ｃ）は、登録された人物が入っていない場合であり、風景写真が５枚撮影されているが、同様に風景写真１枚とカウントする。
【００３２】
（第３の実施形態）
図７は、第３の実施形態に係る撮像装置の構成を示すブロック図である。第２の実施形態に係る撮像装置と同様の構成要素には同一の符号を付し、その詳細な説明は省略する。
第３の実施形態に係る撮像装置では、第２の実施形態に係る撮像装置の構成（図４を参照）に加えて、登録顔数カウンタ１９、スイッチ２０を備える。また、第２の実施形態に係る撮像装置の構成（図４を参照）で一つの顔枠サイズ比較回路７であったのに代えて、複数の顔枠サイズ比較回路７（ａ）〜７（ｃ）を備える。
顔認証部６で抽出した登録顔情報は、登録顔数カウンタ１９に供給される。登録顔数カウンタ１９は、画像の中にある登録顔の数を数え、その結果をマイコン１２に供給する。さらに登録顔数カウンタ１９から出力された登録顔情報は、スイッチ２０を介して、顔枠サイズ比較回路（１）（７（ａ））、顔枠サイズ比較回路（２）（７（ｂ））、顔枠サイズ比較回路（３）（７（ｃ））のいずれかに供給される。スイッチ２０の切り替えはマイコン１２により行われる。
ここで、各顔枠サイズ比較回路にて比較に用いる顔枠の大きさは、
顔枠サイズ比較回路（１）＞顔枠サイズ比較回路（２）＞顔枠サイズ比較回路（３）
とする。
【００３３】
マイコン１２は、登録顔数カウンタ１９から供給された顔数カウント結果を受け、登録顔数＝１のときは、比較に用いる顔枠サイズが最も大きな顔枠サイズ比較回路（１）を選択するようスイッチ２０を制御する。登録顔数＝２のときは、比較に用いる顔枠サイズが２番目に大きい顔枠サイズ比較回路（２）を選択するようスイッチ２０を制御する。登録顔数＝３以上のときは、比較に用いる顔枠サイズが最も小さな顔枠サイズ比較回路（３）を選択するようスイッチ２０を制御する。
各顔枠サイズ比較回路（１）〜（３）では、それぞれ所定の顔枠の大きさと入力された顔の大きさを比較し、比較した結果を人物／風景写真カウンタ８に供給する。
【００３４】
図８は、第３の実施形態に係る撮像装置の処理を示すフローチャートである。
ステップＳ１０１〜Ｓ１０３は、第２の実施形態における処理（図５を参照）と同様である。
撮影者のシャッタの半押しにより（ステップＳ４０４）、マイコン１２の制御下で被写体にピントを合わせる。
次に、マイコン１２は、顔認証部６を介して、撮影画像中に人物の顔があるか否かを判断する（ステップＳ４０５）。ステップＳ４０５において人物の顔があると判断した場合、その中に登録顔が含まれているか否かを判断する（ステップＳ４０６）。登録顔が含まれていると判断した場合、登録顔数を確認する（ステップＳ４０７）。
ステップＳ４０７において登録顔数＝１と判断した場合、比較に用いる顔枠サイズが最も大きな顔枠サイズ比較回路（１）を設定する（ステップＳ４０８）。ステップＳ４０７において登録顔数が１でないと判断した場合、ステップＳ４１０に進み、登録顔数＝２であるか否かを判断する。ステップＳ４１０において登録顔数＝２と判断した場合、比較に用いる顔枠サイズが２番目に大きい顔枠サイズ比較回路（２）を設定する（ステップＳ４１１）。ステップＳ４１０において登録顔数が２でないと判断した場合、比較に用いる顔枠サイズが最も小さな顔枠サイズ比較回路（３）を設定する（ステップＳ４１２）。
【００３５】
次に、マイコン１２は、ステップＳ４０８、Ｓ４１１又はＳ４１２において設定された顔枠サイズ比較回路（１）〜（３）を介して、その登録顔の大きさが所定の大きさ以上であるか否かを判断する（ステップＳ４０９）。所定の大きさ以上であった場合、マイコン１２は人物写真としてカウントする（ステップＳ４１３）。
ステップＳ４０５において人物の顔がないと判断した場合、又は、ステップＳ４０６において登録顔を検出しなかった場合、又は、ステップＳ４０９において登録顔の大きさが所定の大きさよりも小さかった場合、マイコン１２は風景写真としてカウントする（ステップＳ４１４）。
そして、マイコン１２は、人物写真、風景写真のカウント結果を表示装置１０に表示する（ステップＳ４１５）。
次に、シャッタの全押しにより（ステップＳ４１６）、マイコン１２の制御下で撮影する。
【００３６】
図９は、撮影画像中で検出された登録顔数と顔枠の大きさを説明するための画像例である。
図９（Ａ）では、登録顔数＝１であるので、顔枠の大きさは最も大きなサイズに設定され、この顔枠の大きさと撮影画像中の登録顔の大きさとを比較する。図９（Ａ）の場合、登録顔が顔枠よりも小さいので、この写真は風景写真とカウントする。
図９（Ｂ）では、登録顔数＝３であるので、顔枠の大きさは最も小さなサイズに設定され、この顔枠の大きさと撮影画像中の登録顔の大きさとを比較する。図９（Ｂ）の場合、登録顔が顔枠よりも大きいので、この写真は人物写真とカウントする。
このように図９（Ａ）と図９（Ｂ）とでは人物の顔の大きさは同じであるが、その数によって風景を中心とした風景写真であるのか、人物を主体とした人物写真なのかが好ましく判定される。
【００３７】
（第４の実施形態）
図１０は、第４の実施形態に係る撮像装置の構成を示すブロック図である。第３の実施形態に係る撮像装置と同様の構成要素には同一の符号を付し、その詳細な説明は省略する。
第４の実施形態に係る撮像装置では、第３の実施形態に係る撮像装置の構成（図７を参照）で登録顔数カウンタ１９があったのに代えて登録顔位置検出回路２１を備える。また、顔枠サイズ比較回路７（ａ）、７（ｂ）の２個に変更している。
【００３８】
図１２は、撮影画像中で検出された登録顔の位置と顔枠の大きさを説明するための画像例である。
図１２（Ａ）において、画角の内側のエリアＡは顔枠サイズＡに、画角の周辺のエリアＢでは顔枠サイズＢに設定している。ここで、顔枠の大きさは、
顔枠サイズＡ＜顔枠サイズＢ
である。
【００３９】
図１０において、顔認証部６で抽出した登録顔情報は登録顔位置検出回路２１に供給される。登録顔位置検出回路２１は、画像中にある登録顔の出現位置を検出し、その結果が図１２（Ａ）におけるエリアＡであるのか、エリアＢであるのかをマイコン１２に通知する。さらに登録顔位置検出回路２１から出力された登録顔情報は、スイッチ２０を介して、顔枠サイズ比較回路（１）（７（ａ））、顔枠サイズ比較回路（２）（７（ｂ））のいずれかに供給される。スイッチ２０の切り替えはマイコン１２により行われる。
ここで、各顔枠サイズ比較回路にて比較に用いる顔枠の大きさは、
顔枠サイズ比較回路（１）＜顔枠サイズ比較回路（２）
とする。
【００４０】
マイコン１２は、登録顔位置検出回路２１から供給された登録顔の出現位置を受け、次のようにスイッチ２０を制御する。
登録顔の出現位置が図１２（Ａ）におけるエリアＢの場合、すなわち図１２（Ｂ）のような状態のときは、比較に用いる顔枠サイズが大きい顔枠サイズ比較回路（２）を選択するようスイッチ２０を制御する。
登録顔の出現位置が図１２（Ａ）におけるエリアＡの場合、すなわち図１２（Ｃ）のような状態のときは、比較に用いる顔枠サイズが小さい顔枠サイズ比較回路（１）を選択するようスイッチ２０を制御する。
各顔枠サイズ比較回路（１）、（２）では、それぞれ所定の顔枠の大きさと入力された顔の大きさを比較し、比較した結果を人物／風景写真カウンタ８に供給する。
具体的には、図１２（Ｂ）の場合、登録顔の大きさが顔枠（顔枠サイズＢ）よりも小さいので風景写真とカウントする。また、図１２（Ｃ）の場合、登録顔の大きさが顔枠（顔枠サイズＡ）よりも大きいので人物写真とカウントする。
このように図１２（Ｂ）と図１２（Ｃ）とでは人物の顔の大きさは同じであるが、その出現位置によって風景を中心とした風景写真であるのか、人物を主体とした人物写真なのかが好ましく判定される。
【００４１】
図１１は、第４の実施形態に係る撮像装置の処理を示すフローチャートである。
ステップＳ１０１〜Ｓ１０３は、第２の実施形態における処理（図５を参照）と同様である。
撮影者のシャッタの半押しにより（ステップＳ５０４）、マイコン１２の制御下で被写体にピントを合わせる。
次に、マイコン１２は、顔認証部６を介して、撮影画像中に人物の顔があるか否かを判断する（ステップＳ５０５）。ステップＳ５０５において人物の顔があると判断した場合、その中に登録顔が含まれているか否かを判断する（ステップＳ５０６）。登録顔が含まれていると判断した場合、登録顔の出現位置がエリアＡであるか否かを確認する（ステップＳ５０７）。
ステップＳ５０７において出現位置がエリアＡであると判断した場合、比較に用いる顔枠サイズが小さい（顔枠サイズＡ）顔枠サイズ比較回路（１）を設定する（ステップＳ５０８）。ステップＳ５０７において出現位置がエリアＢであると判断した場合、比較に用いる顔枠サイズが大きい（顔枠サイズＢ）顔枠サイズ比較回路（２）を設定する（ステップＳ５０８）。
【００４２】
次に、マイコン１２は、ステップＳ５０８又はＳ５０９において設定された顔枠サイズ比較回路（１）、（２）を介して、その登録顔の大きさが所定の大きさ以上であるか否かを判断する（ステップＳ５０９）。所定の大きさ以上であった場合、マイコン１２は人物写真としてカウントする（ステップＳ５１０）。
ステップＳ５０５において人物の顔がないと判断した場合、又は、ステップＳ５０６において登録顔を検出しなかった場合、又は、ステップＳ５０９において登録顔の大きさが所定の大きさよりも小さかった場合、マイコン１２は風景写真としてカウントする（ステップＳ５１２）。
そして、マイコン１２は、人物写真、風景写真のカウント結果を表示装置１０に表示する（ステップＳ５１３）。
次に、シャッタの全押しにより（ステップＳ５１４）、マイコン１２の制御下で撮影する（ステップＳ５１５）。
以上述べた第４の実施形態によれば、図１２（Ｂ）のように風景写真のつもりで撮影したものが誤って人物写真とカウントされることを防ぐことができる。
【００４３】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
（その他の実施形態）
また、本発明は、以下の処理を実行することによっても実現される。すなわち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【符号の説明】
【００４４】
１：撮像光学系、２：センサ、３：カメラ信号処理回路、４：レンズ駆動回路、５：記録再生信号処理回路、６：顔認証部、７：顔枠サイズ比較回路、８：人物／風景写真カウンタ、９：登録顔情報メモリ、１０：表示装置、１１：記録媒体、１２：マイコン、１３：撮影テーマ設定スイッチ、１４：連写モード設定スイッチ、１５：ＡＥＢモード設定スイッチ、１７：顔登録モード設定スイッチ、１８：シャッタボタン、１９：登録顔数カウンタ、２０：スイッチ、２１：登録顔位置検出回路、１００：ＣＰＵ（中央演算装置）、１０１：画像分類判別部、２００：メモリ、２０１：顔登録部、２０２：画像カウント部、３００：撮像部、４００：表示部、５００：通信処理部
【図１】
2014138322.tif 000003
【図２】
2014138322.tif 000004
【図３】
2014138322.tif 000005
【図４】
2014138322.tif 000006
【図５】
2014138322.tif 000007
【図６】
2014138322.tif 000008
【図７】
2014138322.tif 000009
【図８】
2014138322.tif 000010
【図９】
2014138322.tif 000011
【図１０】
2014138322.tif 000012
【図１１】
2014138322.tif 000013
【図１２】
2014138322.tif 000014